(57)【要約】      （修正有）【課題】使用者がずっと圧入カバーを押さえ続けなくても散水し続ける目的が達成できるグリップ式散水ノズルの構造を提供する。【解決手段】制御管１０の片側に挟み部１３を設け、挟み部でＵ形留め具１４を挟み、Ｕ形留め具の両延伸した所にそれぞれ突部１４１を設け、圧入カバー４０は制御管に枢設され、また圧入カバーはもう一方の内部に結合座が形成され、結合座に位置決め部材４３が固定され、位置決め部材の両側面にＶ形ブロック４４が凸設され、Ｖ形ブロックに導入斜面４４１、導出斜面４４２と位置決め槽４４３が形成されることで、Ｕ形留め具の突部が導入斜面と導出斜面に沿って移動することができる。また、圧入カバーを繰り返して押すことで位置決め槽と突部の結合と分離ができる。位置決め部材は位置決め槽の開け口側にストップブロック４３１が凸設され、ストップブロックによって突部の位移導引が形成され、散水の際に力を加え続ける必要がない。【選択図】図２
0003187893.tif 000002
【実用新案登録請求の範囲】
【請求項１】
グリップ式散水ノズルの構造であって、
制御管と、調量部材と、内置管と、バルブチューブと、圧入カバーと、結合座とを含み、
該制御管に流通孔が開設され、また該制御管の片側に枢接部が形成され、該制御管のもう一方に挟み部を設け、挟み部でＵ形留め具を挟み、該Ｕ形留め具の両延伸した所にそれぞれ突部を設け、該制御管の中段部は流通孔と相対するため、くり抜き口を設け、また該制御管はくり抜き口の両側にそれぞれ連接片が凸設され、該連接片にスイングアームが枢接され、該スイングアームの片側に加圧部が形成され、さらにもう一方をくり抜き口に挿し込んで設け、
該調量部材は三叉状であり、連接管と、前段管と、後段管とが形成され、該連接管は制御管の流通孔に挿し込んで固定され、また前段管と後段管の間に内置管が内置され、該内置管は連接管と相対する側に流量口を設け、該調量部材は後段管に回転つまみを挿し込んで設けることで、内置管が回されて流量口は連接管と連通する口径に調節でき、該前段管に散水ヘッドを挿し込んで固定し、
該バルブチューブは制御管の流通孔内に設け、該バルブチューブの片側に止水ヘッドが形成され、該バルブチューブは止水ヘッドと隣接する所に複数個の出水孔を設け、また出水孔よりバルブチューブのもう一方に連通し、該バルブチューブは止水ヘッドの反対側にバネを設け、バネが止水ヘッドを常時に連接管と接触させ、また該バルブチューブの中段部に環状槽が凹設され、環状槽がスイングアームを挟んで連動することを提供することによって、出水孔と連接管が連通され、
該圧入カバーの片側に貫通孔が形成され、貫通孔によって制御管の枢接部に枢設されることで、圧入カバーはスイングアームの加圧部に接触し、該圧入カバーはもう一方の内部に結合座が形成され、該結合座に位置決め部材が固定され、該位置決め部材は両側面にそれぞれＶ形ブロックが凸設され、Ｖ形ブロックに導入斜面と導出斜面と位置決め槽とが形成されることで、Ｕ形留め具の突部は導入斜面と導出斜面に沿って移動し、圧入カバーを繰り返して押すことで位置決め槽と突部の合致と分離が形成され、該位置決め部材は位置決め槽の開け口側にストップブロックが凸設され、ストップブロックによって突部の位移導引が形成されるため、散水時に力を加え続ける必要がないため、使用の利便性が向上されることを特徴とするグリップ式散水ノズルの構造。
【請求項２】
制御管は枢接部と隣接する所に該流通孔を貫通する第一切れ目を環状に複数個設け、該調量部材は連接管の表面に環状の第一溝が凹設され、また該制御管にＣ形ロックが結合され、Ｃ形ロックを第一切れ目と第一溝に嵌め込むことで、連接管と制御管の連結が形成されることを特徴とする請求項１に記載のグリップ式散水ノズルの構造。
【請求項３】
調量部材は後段管に内部を貫通する第二切れ目を環状に複数個設け、該内置管の表面に環状の第二溝が凹設され、また該制御管にＣ形ロックが結合され、Ｃ形ロックを第二切れ目と第二溝に嵌め込むことで、後段管と内置管の連結が形成されることを特徴とする請求項1に記載のグリップ式散水ノズルの構造。
【請求項４】
調量部材は前段管に内部を貫通する第三切れ目を環状に複数個設け、該散水ヘッドに環状の第三溝が凹設され、また該前段管にＣ形ロックが結合され、Ｃ形ロックを第三切れ目と第三溝に嵌め込むことで、前段管と散水ヘッドの連結が形成されることを特徴とする請求項１に記載のグリップ式散水ノズルの構造。
【請求項５】
バルブチューブは環状槽の両側と止水ヘッドにそれぞれ止水リングを嵌めさせることで、バルブチューブがくり抜き口と連接管に対しての水漏れ防止構造が形成されることを特徴とする請求項１に記載のグリップ式散水ノズルの構造。
【請求項６】
連接管、内置管及び散水ヘッドにそれぞれ阻水リングを設けることを特徴とする請求項１に記載のグリップ式散水ノズルの構造。
【請求項７】
制御管は流通孔の片側の開け口に軸向溝を設け、該調量部材は連接管に軸向リブが凸設され、軸向リブによって制御管の軸向溝に結合されることで、調量部材と制御管間の回転防止構造が形成されることを特徴とする請求項１に記載のグリップ式散水ノズルの構造。
【請求項８】
内置管は後段管と隣接する所に複数個の連動口を設け、また該回転つまみは連動口に対応してフック部が形成され、フック部が連動口に挿すことで回転を連動するように形成されることを特徴とする請求項１に記載のグリップ式散水ノズルの構造。
【請求項９】
制御管と調量部材はカバーで包まれ、該カバーに複数個の結合孔を設け、該制御管と調量部材に複数個の結合ブロックが凸設され、結合孔と結合ブロックでカバーの結合固定が形成されることを特徴とする請求項１に記載のグリップ式散水ノズルの構造。
【請求項１０】
散水ヘッドが前段管と連通し、孔径の大きさが異なる散水孔が形成され、散水孔によって散水形態が調節されることを特徴とする請求項１に記載のグリップ式散水ノズルの構造。
【考案の詳細な説明】
【技術分野】
【０００１】
本考案はグリップ式散水ノズルの構造に関する。特に操作しやすいグリップ式散水ノズルの構造である。
【背景技術】
【０００２】
従来の散水ノズルの構造は、手持ち式で操作を行い、また水圧と散水孔径の大きさによって異なる散水効果をもたらす出水装置である。該散水ノズルのコントロールレバーは前レバータイプあるいは後レバータイプに関係なく、使用者は指でコントロールレバーを握らなければならず、指の力加減によって散水の動作あるいは水量のコントロールをする。しかしながら、指で該コントロールレバーを握る動作は、該コントロールレバーを握る際に生じる反力に直面する。使用者は該コントロールレバーを握る時間が長ければ長いほど、手に疲労がたまり、きつさを感じることで、散水の効率とスムーズ性に影響を及ぼす。そこで、関係業界はコントロールレバーの押さえが位置決め効果のある散水ノズルの設計を開発した。使用者が該コントロールレバーを握った後、コントロールレバーを付属のフックで位置決めでき、使用者の手はずっと力を加えなくてもコントロールでき、楽に省力目的が達成できる。さらにフックでコントロールレバーでの位置決め位置を変えることを利用すると同時に水量を変えることができる。しかし、上述の従来の構造を見るとまだ物足りない部分が存在する。主な原因は以下の通りである。
【０００３】
（一）該散水ノズルは散水状態に固定される際、片手でコントロールレバーを握りながら、もう一方の手でフックを操作してコントロールレバーを位置決めしなければならない。操作上においては非常に不便であり、もしもう一方の手がほかのものを持っている場合、効果的に散水動作をコントロールしにくいため、省力と使用の利便性の効果を兼ねることができない。
【０００４】
（二）該散水ノズルのコントロールレバーは散水開始と散水量のコントロールの機能が備え、握る力加減によって散水量を変えることができるが、散水量のコントロールがしにくくなり、毎回スムーズに同じ散水量に調節しにくいため、実用性が下がる。
従って、本考案者はこれらを鑑み、長年にわたって相関商品の製造開発と設計を携わった経験によって、上述の目標について、丹念に設計し、緻密に評価した後、実用性を満ちた本考案を得た。
【考案の概要】
【０００５】
本考案は従来の技術に存在する欠点を解決し、グリップ式散水ノズルの構造を提供する。
【課題を解決するための手段】
【０００６】
本考案はグリップ式散水ノズルの構造を提供する。本考案の第一目的は、Ｕ形留め具の突部はＶ形ブロックの導入斜面に沿って位置決め槽に滑り込み、突部を位置決め槽に結合させることによって、圧入カバーは散水開始の位置に固定され、使用者はずっと圧入カバーを押さえ続けなくても散水し続ける目的が達成できる。もし散水を停止したい時、もう一度該圧入カバーを押さえることで、Ｕ形留め具の突部がＶ形ブロックの位置決め槽から離れ、ストップブロックの誘導でＶ形ブロックの下部に滑ることによって、突部がＶ形ブロックの導出斜面に沿って抜け、固定散水の動作を解除できるため、繰り返して迅速に散水するか否か、省力と使用の利便性の効果を奏する。
【０００７】
本考案の第二目的は、該回転つまみのフック部は該内置管の連動口に連動できるため、内置管は自転により流量口と連接管の開け口の重ねる量が変えられる。従って、連接管側から前段管側に流れる水量をコントロールできるため、散水ヘッド側の散水量を効果的に調節でき、実用性を向上する。
【０００８】
本考案の第三目的は、該調量部材は連接管の表面に環状の第一溝を設け、該制御管はＣ形ロックを結合し、Ｃ形ロックを第一切れ目と第一溝に嵌め込むことによって、連接管と制御管の連結が形成される。また、該制御管は流通孔の片側の開け口に軸向溝を設け、該調量部材は連接管には軸向リブが凸設され、軸向リブによって制御管の軸向溝に結合されることで、制御管と調量部材を迅速に連接することが形成され、調量部材と制御管間の回転防止効果を奏する。
【図面の簡単な説明】
【０００９】
【図１】図１は、本考案の立体図である。
【図２】図２は、本考案の立体分解図（一）である。
【図３】図３は、本考案の立体分解図（二）である。
【図４】図４は、本考案の断面図である。
【図５】図５は、本考案の使用状態の表示図（一）である。
【図６】図６は、本考案の使用状態の表示図（二）である。
【考案を実施するための形態】
【００１０】
まず、図１、図２、図３を参照されたい。グリップ式散水ノズルの構造は、制御管１０、調量部材２０、バルブチューブ３０、及び圧入カバー４０を含む。制御管１０に流通孔１１を設け、該制御管１０の片側に枢接部１２が形成され、制御管１０のもう一方に挟み部１３を設け、挟み部１３でＵ形留め具１４を挟み、該Ｕ形留め具１４の両延伸した所にそれぞれ突部１４１を設け、また該制御管１０の中段部は流通孔１１と相対するため、くり抜き口１５を設け、該制御管１０はくり抜き口１５の両側にそれぞれ連接片１５１が凸設され、連接片１５１にスイングアーム１６が枢接される。該スイングアーム１６の片側に加圧部１６１が形成され、さらにもう一方をくり抜き口１５に穿設される。該制御管１０は枢接部１２と隣接する所に流通孔１１を貫通する第一切れ目１７を環状に複数個設ける。調量部材２０は三叉状であり、連接管２１と、前段管２２と、後段管２３とが形成される。該連接管２１を制御管１０の流通孔１１に差し込んで固定し、該調量部材２０は連接管２１の表面に環状の第一溝２１１を凹設する。また、該制御管１０にＣ形ロック２４を結合し、Ｃ形ロック２４を第一切れ目１７と第一溝２１１に嵌め込むことで、連接管２１と制御管１０の連結が形成される。該制御管１０は流通孔１１の片側の開け口に軸向溝１１１を設け、該調量部材２０は連接管２１に軸向リブ２１２が凸設され、軸向リブ２１２によって制御管１０の軸向溝１１１に結合されることで、調量部材２０と制御管１０間の回転防止効果を奏する。また、該調量部材２０は前段管２２と後段管２３の間に内置管２５が内置され、該内置管２５は連接管２１と相対する側に流量口２５１を設け、該調量部材２０は後段管２３に内部を貫通する第二切れ目２３１を環状に複数個設け、該内置管２５の表面に環状の第二溝２５２が凹設され、後段管２３にＣ形ロック２６が結合され、Ｃ形ロック２６は第二切れ目２３１と第二溝２５２に嵌め込むことで、後段管２３と内置管２５の連結が形成される。該内置管２５は後段管２３と隣接する所に複数個の連動口２５３を設け、また該調量部材２０は後段管２３に回転つまみ２７を挿し込み、回転つまみ２７は連動口２５３に対応してフック部２７１が形成される。フック部２７１が連動口２５３に挿し込むことで連動回転の効果が形成され、内置管２５が回されて流量口２５１は連接管２１と連通する口径に調節できる。該前段管２２に散水ヘッド２８を挿し込んで固定し、該散水ヘッド２８が前段管２２と連通し、孔径の大きさが異なる散水孔２８１が形成され、散水孔２８１によって散水形態が調節される。その中、該調量部材２０は前段管２２に内部を貫通する第三切れ目２２１を環状に複数個設け、該散水ヘッド２８に環状の第三溝２８２が凹設され、該前段管２２にＣ形ロック２９が結合され、Ｃ形ロック２９を第三切れ目２２１と第三溝２８２に嵌め込むことで、前段管２２と散水ヘッド２８の連結が形成される。また、該制御管１０と調量部材２０はカバー１８で包まれ、該カバー１８に複数個の結合孔１８１を設け、該制御管１０と調量部材２０に複数個の結合ブロック１０１（２０１）が凸設され、結合孔１８１と結合ブロック１０１（２０１）によってカバー１８の結合固定が形成される。バルブチューブ３０は制御管１０の流通孔１１内に設置し、該バルブチューブ３０の片側に止水ヘッド３１が形成され、バルブチューブ３０は止水ヘッド３１と隣接する所に複数個の出水孔３２を設け、出水孔３２がバルブチューブ３０のもう一方に連通し、該バルブチューブ３０は止水ヘッド３１の反対側にバネ３３を設け、バネ３３が止水ヘッド３１を常時に連接管２１と接触させ、該バルブチューブ３０の中段部に環状槽３４が凹設され、環状槽３４がスイングアーム１６を挟んで連動することを提供することで、出水孔３２と連接管２１が連通される。また該バルブチューブ３０は環状槽３４の両側と止水ヘッド３１にそれぞれ止水リング３５を嵌めさせることで、バルブチューブ３０がくり抜き口１５と連接管２１に対しての水漏れ防止のように形成される。該連接管２１、内置管２５と散水ヘッド２８にそれぞれ阻水リングaを設けることで水漏れ防止の効果も形成できる。圧入カバー４０の片側に貫通孔４１が貫通され、貫通孔４１によって制御管１０の枢接部１２に枢設されることで、圧入カバー４０はスイングアーム１６の加圧部１６１に接触できる。該圧入カバー４０はもう一方の内部に結合座４２が形成され、該結合座４２に位置決め部材４３が固定される。該位置決め部材４３の両側面にＶ形ブロック４４が凸設され、Ｖ形ブロック４４に導入斜面４４１、導出斜面４４２と位置決め槽４４３が形成されることで、Ｕ形留め具１４の突部１４１が導入斜面４４１と導出斜面４４２に沿って移動することができる。また、圧入カバー４０を繰り返して押すことで位置決め槽４４３と突部１４１の結合と分離ができる。該位置決め部材４３は位置決め槽４４３の開け口側にストップブロック４３１が凸設され、ストップブロック４３１によって突部１４１の転位誘導が形成され、散水の際に力を加え続ける必要がないため、使用の利便性が向上できる。
【００１１】
その構造の組み立てについては、図２、図３、図４を参照されたい。該バルブチューブ３０はバネ３３が設けられている側より制御管１０の流通孔１１内に入れることによって、バネ３３の片側が制御管１０の流通孔１１の内壁に接触する。また該バネ３３のもう一方が該バルブチューブ３０を押し上げ、該バルブチューブ３０の環状槽３４は制御管１０のくり抜き口１５にある。調量部材２０の連接管２１を制御管１０の流通孔１１に挿し込むことによって、連接管２１の管先がバルブチューブ３０の止水ヘッド３１に接触し、それに連接管２１の軸向リブ２１２を制御管１０の軸向溝１１１に入れ、該制御管１０は第一切れ目１７にＣ形ロック２４を結合し、Ｃ形ロック２４は連接管２１の第一溝２１１内に嵌め込むことで、制御管１０と調量部材２０を迅速に連接できる。また該制御管１０は挟み部１３にＵ形留め具１４を結合させることで、Ｕ形留め具１４の突部１４１がくり抜き口１５の下部に設置される。また該スイングアーム１６は該連接片１５１に枢設され、スイングアーム１６の加圧部１６１の反対側をくり抜き口１５内に挿し込み、該バルブチューブ３０の環状槽３４を連動させる。該圧入カバー４０は結合座４２に位置決め部材４３を設け、圧入カバー４０の貫通孔４１より制御管１０の枢接部１２に枢設されることで、圧入カバー４０は制御管１０に対して加圧可動が生じ、圧入カバー４０は該スイングアーム１６の加圧部１６１を押して動かせられることで、位置決め部材４３とＵ形留め具１４に連結効果を生じさせる。そのほか、内置管２５を調量部材２０に挿し込むことで、内置管２５が前段管２２と後段管２３の間に設置され、Ｃ形ロック２６によって後段管２３の第二切れ目２３１にロックさせることで、Ｃ形ロック２６は内置管２５の第二溝２５２に嵌められ、内置管２５が軸向自転しかできなくなる。調量部材２０の前段管２２に散水ヘッド２８を挿して設置し、Ｃ形ロック２９を利用して前段管２２の第三切れ目２２１にロックさせることで、Ｃ形ロック２９が散水ヘッド２８の第三溝２８２に嵌められ、散水ヘッド２８と調量部材２０の連結が形成される。それから、調量部材２０と制御管１０にカバー１８を被せ、カバー１８の結合孔１８１を制御管１０と調量部材２０の結合ブロック１０１（２０１）に結合させ、カバー１８が制御管１０と調量部材２０に対して包み込むことが形成される。最後に、回転つまみ２７を調量部材２０の後段管２３に挿し込み、回転つまみ２７のフック部２７１によって内置管２５の連動口２５３にロックさせることで、回転つまみ２７と内置管２５の回転を連動する効果を奏する。
【００１２】
実際の使用状況については、まず図４、図５、図２を同時に参照されたい。散水ヘッド２８の散水量を調節したい時、手で該回転つまみ２７を回し、回転つまみ２７のフック部２７１が該内置管２５の連動口２５３に連動できるように、内置管２５は自転により流量口２５１と連接管２１の開け口の重ねる量を変えることで、連接管２１側の水を前段管２２側に流れる水量をコントロールできるため、散水ヘッド２８側の散水量を有効に調節でき、実用性が向上できる。また、散水の動作を行う時、図２から図６を連続的に参照されたい。使用者は片手でカバー１８を持ち、該圧入カバー４０を押さえることで、圧入カバー４０は枢接部１２側によって可動が生じ、さらに圧入カバー４０により該スイングアーム１６を抑えることで、スイングアーム１６のもう一方を該バルブチューブ３０の環状槽３４を枢転して移動させ、バルブチューブ３０を制御管１０の流通孔１１に滑って移動し、さらに該バネ３３を圧縮し、同時に止水ヘッド３１と連接管２１を分離させる。この時、水流はバルブチューブ３０内部より該出水孔３２に流れ出し、連接管２１より調量部材２０に入ることで、散水ヘッド２８の散水動作が行える。同時に、該圧入カバー４０を押さえられる時、該位置決め部材４３は制御管１０に近づき、Ｕ形留め具１４の突部１４１はＶ形ブロック４４の導入斜面４４１に沿って位置決め槽４４３側に滑り込める。圧入カバー４０から手を離した時、突部１４１は位置決め槽４４３に結合されることで、圧入カバー４０は散水開始の位置に固定され、使用者は圧入カバー４０を押さなくても、継続的に加力できて散水し続ける目的が達成できる。もし供水を停止したい時、もう一度該圧入カバー４０を押し、Ｕ形留め具１４の突部１４１がＶ形ブロック４４の位置決め槽４４３から離れ、ストップブロック４３１の誘導でＶ形ブロック４４の下部に滑り落ちる。それに、該圧入カバー４０から手を離した時、突部１４１はＶ形ブロック４４の導出斜面４４２に沿って滑り出され、散水の動作が解除でき、散水するか否かを迅速に繰り返して切り替えられ、省力と使用時の利便性の効果を奏する。
【符号の説明】
【００１３】
１０                制御管
１０１（２１０）    結合ブロック
１１                流通孔
１１１              軸向溝
１２                枢接部
１３                挟み部
１４                Ｕ形留め具
１４１              突部
１５                くり抜き口
１５１              連接片
１６                スイングアーム
１６１              加圧部
１７                第一切れ目
１８                カバー
１８１              結合孔
２０                調量部材
２１                連接管
２１１              第一溝
２１２              軸向リブ
２２                前段管
２２１              第三切れ目
２３                後段管
２３１              第二切れ目
２４                Ｃ形ロック
２５                内置管
２５１              流量口
２５２              第二溝
２５３              連動口
２６                Ｃ形ロック
２７                回転つまみ
２７１              フック部
２８                散水ヘッド
２８１              散水孔
２８２              第三溝
２９                Ｃ形ロック
３０                バルブチューブ
３１                止水ヘッド
３２                出水孔
３３                バネ
３４                環状槽
３５                止水リング
ａ                  阻水リング
４０                圧入カバー
４１                貫通孔
４２                結合座
４３                位置決め部材
４３１              ストップブロック
４４                Ｖ形ブロック
４４１              導入斜面
４４２              導出斜面
４４３              位置決め槽
【図１】
0003187893.tif 000003
【図２】
0003187893.tif 000004
【図３】
0003187893.tif 000005
【図４】
0003187893.tif 000006
【図５】
0003187893.tif 000007
【図６】
0003187893.tif 000008